(57)【要約】【課題】  熱可塑性樹脂製の畳表も徐々に認知され類似品や模造品も出現するようになってきている。多数出現し、外観が似ていると、真性商品を扱っている業者であっても、単に見ただけでは自己の商品であるか否かは判断できない場合がある。補修したり、補償したりする場合、その商品がどこの商品であるかが大きな問題となることが多い。即ち、メーカーによって材質や製法が異なるため、補修法等が異なるためである。そこで、本発明者は、自他の商品を簡単に区別でき、使用者には意識されず、美観はまったく変わらない畳表を提供する。【解決手段】  熱可塑性樹脂製の模造イグサを織った畳表であって、蛍光剤が含有された熱可塑性樹脂製の模造イグサが少なくとも１本織りこまれている。【選択図】  図１
2005201002.tif 000002
【特許請求の範囲】
【請求項１】
熱可塑性樹脂製の模造イグサを織った畳表であって、蛍光剤が含有された熱可塑性樹脂製の模造イグサが少なくとも１本織りこまれていることを特徴とする畳表。
【請求項２】
熱可塑性樹脂製の模造イグサを織った畳表であって、その縦糸のうち少なくとも１本に蛍光剤が含有されたものであることを特徴とする畳表。
【発明の詳細な説明】
【技術分野】
【０００１】
本発明は、畳表に関するものである。
【背景技術】
【０００２】
畳表は、古くからイグサを織って製造されてきた。しかし、天然物であるがゆえの欠点、即ち、供給が安定しない、ダニ等の住みかになる等である。このため、本出願人はプラスチック製の模造イグサを開発し、天然品であるための欠点を解消し、新たな市場を開拓した。即ち、従来はダニ等のアレルゲンの問題からフローリングにしなければならなかった家庭や、天然イグサではすぐに傷むため、カーペット部屋にしていた安価な旅館等である。
【０００３】
この模造イグサは、種々の工夫があり、プラスチックの欠点もできるだけ減らし、天然品に近い風合いを現出した。更に、表面の冷たい感じや、吸湿性がないこと、表面が反射する等の欠点もほとんど解消したものである。
【０００４】
このような畳表も徐々に認知され類似品や模造品も出現するようになってきている。多数出現し、外観が似ていると、真性商品を扱っている業者であっても、イグサを会社で分析せず、単に見ただけでは自己の商品であるか否かは判断できない場合がある。補修したり、補償したりする場合、その商品がどこの商品であるかが大きな問題となることが多い。即ち、メーカーによって材質や製法が異なるため、補修法等が異なるためである。
【０００５】
そこで、製造メーカー名を記載することが考えられるが、畳表にはそのような場所がない。即ち、美観上、畳の表面にそのような記載はできないし、裏面に記載しても畳表を外さなければ見えない。また、畳であるため、色を変えて区別することもできない。
【発明の開示】
【発明が解決しようとする課題】
【０００６】
そこで、本発明者は、自他の商品を簡単に区別でき、使用者には意識されず、美観はまったく変わらない畳表を提供する。
【課題を解決するための手段】
【０００７】
以上のような状況に鑑み、本発明者は鋭意研究の結果本発明畳表を完成させたものであり、その特徴とするところは、熱可塑性樹脂製の模造イグサを織った畳表であって、蛍光剤が含有された熱可塑性樹脂製の模造イグサが少なくとも１本織りこまれている点にあり、他の態様では、熱可塑性樹脂製の模造イグサを織った畳表であって、その縦糸のうち少なくとも１本に蛍光剤が含有された点にある。
【０００８】
模造イグサとは、プラスチック等で製造したイグサ様のものであり、材料や製法は種々のものが知られている。本発明では、天然イグサでない限りどのようなものでも可能である。畳表はこれを織ったものであり、織り方も自由であり、特別なものである必要はない。
【０００９】
なかでも、熱可塑性樹脂のテープや筒状体を加熱された狭い空隙を通過させることによってイグサ状にしたものが好適である。
畳表はこのような模造イグサを織ったものであり、織り方は自由である。
【００１０】
蛍光剤とは、蛍光塗料や蛍光顔料をいい、紫外線の照射により可視光を発生するものである。蓄光性は、まったくないか、あってもほとんど分からない程度のものである。これは、夜間、畳表が光ることによる不自然さを防止するためである。このような蛍光剤はすでに多数市販されており、そのようなもので十分である。これらは、粒状、粉状、液に溶解したもの等があるが、それは後述するようにイグサに含ませる態様によって選択すればよい。
【００１１】
このときの紫外線は、近紫外線であり、波長としては３００〜４５０ｎｍ程度の電磁波である。通常は、水銀ランプ等の高原から、この範囲の紫外線のみ通過するフィルターで取り出したものである。
【００１２】
蛍光剤を模造イグサに含ませる方法は、練り込み法、表面付着法等がある。練り込み法は、原料の熱可塑性樹脂に成形前に混合するもので、もっとも簡単な方法である。練りこむため、表面に出る量が減少するため（内部のものもある程度は見える）、蛍光剤は少し多めに必要となるが、表面の摩擦によっては欠落しないため、半永久的に効果が持続する。
表面付着法は、最終成形前のテープや筒状体の表面に蛍光剤を塗布するか、イグサ様に成形された後、表面に塗布するかである。塗布の方法は、噴霧する方法、液に浸漬する方法、ローラーや刷毛で塗布する等どのような方法でもよい。
【００１３】
本発明は、このようなイグサを、１畳の畳表に少なくとも１本織り込まれているものである。量としては、すべてのイグサが蛍光剤含有イグサであるものから、１本だけが蛍光剤含有イグサであるものまで自由である。本数が多くなると、発見が容易であるが、費用が高くなる。
【００１４】
また、本発明の他の態様では、イグサではなく、縦糸に蛍光剤を含有させたものでもよい。縦糸は綿糸や麻糸のような天然繊維のものが多いが、このようなものは表面に付着させる。即ち、前記と同様噴霧等の方法である。
また、縦糸も合成繊維製のものもある。このようなものでは、上記した表面付着方法以外に、練り込み方法も可能である。例えば、ポリエチレン製の糸等である。
【００１５】
この縦糸の場合にも、すべての縦糸に含有させる必要はない。最低１本でもよい。しかし、畳表のイグサと異なり、見るためにはイグサ間の隙間をあけて見なければならず、発見の容易さから考慮すると、多数の縦糸に含有させた方が好ましい。
【００１６】
本発明畳表の発見法は、単にイグサに前記紫外線を照射するだけである。部屋を暗くした方が発見は容易である。紫外線照射装置は、ブラックライトとして市販されているものでよい。
【発明の効果】
【００１７】
本発明畳表には次のような大きな利点がある。
（１）  紫外線を小型の装置で照射するだけで、光るイグサがあるため自社製品か否かがすぐに判定できる。
（２）  自社の製品であることが分かれば、成分等が分かり適切な対応が可能となる。
【発明を実施するための最良の形態】
【００１８】
以下図面に示す実施の形態従って本発明をより詳細に説明する。
【００１９】
図１は、本発明畳表１の１例を示す部分平面図である。熱可塑性樹脂製の模造イグサ２を織ったものであり、そのイグサの中に蛍光剤を練り込んだもの３が２本織り込まれているものである。この図は、ブラックライトを照射して、その２本が蛍光しているところである。
【００２０】
このように、はっきりと見えるため自社の取扱い商品であることが直ちに判明する。更に、この織り込み本数や、織り込み位置を決めておけば、どの工場での何時頃製造したかまで区別することも可能である。
【図面の簡単な説明】
【００２１】
【図１】本発明畳表の１例を示す部分平面図である。
【符号の説明】
【００２２】
１  畳表
２  模造イグサ
３  蛍光剤入りイグサ
【図１】
2005201002.tif 000003